(57)【要約】  【課題】  ヒータ１０の耐久性を高める。  【解決手段】  本開示のヒータ１０は、長手方向を有する絶縁基体１と、絶縁基体１の内部または表面に設けられて、折返し部を有する発熱抵抗体２とを備え、絶縁基体１は、発熱抵抗体２が設けられた発熱領域１１に、保持部材３が固定されており、保持部材３は、発熱領域１１のうち折返し部の直上に固定されていることを特徴とする。【選択図】  図２
2019164956.tif 000002
【特許請求の範囲】
【請求項１】
長手方向を有する絶縁基体と、該絶縁基体の内部または表面に設けられて、折返し部を有する発熱抵抗体とを備え、
前記絶縁基体の前記発熱抵抗体が設けられた発熱領域に、保持部材が固定されており、
該保持部材は、前記発熱領域のうち前記折返し部の直上に固定されていることを特徴とするヒータ。
【請求項２】
請求項１に記載のヒータを加熱手段として備えた加熱式タバコ用装置。
【発明の詳細な説明】
【技術分野】
【０００１】
本開示は、例えば被加熱物に先端部を接触させて、若しくは突き刺して加熱する板状のヒータ、または内部に被加熱物を挿入して加熱する筒状のヒータに関するものである。
【背景技術】
【０００２】
従来知られているヒータは、長手方向を有する絶縁性の基体と、基体に埋設された発熱抵抗体と、発熱抵抗体に電気的に接続された端子とを有している。
【先行技術文献】
【特許文献】
【０００３】
【特許文献１】特開平１１−１３５２３４公報
【発明の概要】
【発明が解決しようとする課題】
【０００４】
従来のヒータにおいて、フランジ部を設けて基体を保持する際には、基体のうち発熱抵抗体が設けられていない非発熱領域に固定されていた。このようなヒータにおいては、ヒータの小型化が困難であった。
【課題を解決するための手段】
【０００５】
本開示のヒータは、長手方向を有する絶縁基体と、該絶縁基体の内部または表面に設けられて、折返し部を有する発熱抵抗体とを備え、前記絶縁基体の前記発熱抵抗体が設けられた発熱領域に、保持部材が固定されており、該保持部材は、前記発熱領域のうち前記折返し部の直上に固定されていることを特徴とする。
【発明の効果】
【０００６】
本開示のヒータによれば、保持部材は、発熱領域のうち折返し部の直上に固定されている。これにより、絶縁基体の長手方向の長さを低減することができる。その結果、ヒータを小型化することができる。
【図面の簡単な説明】
【０００７】
【図１】本開示のヒータの一例を示す断面図である。
【図２】ヒータの別の例を示す断面図である。
【図３】ヒータの別の例を示す断面図である。
【図４】ヒータの別の例を示す斜視図である。
【発明を実施するための形態】
【０００８】
以下、ヒータ１０の一例について図面を参照して説明する。
【０００９】
本開示のヒータ１０は、図１に示すように、絶縁基体１と、発熱抵抗体２と、保持部材３とを有している。
【００１０】
絶縁基体１は、発熱抵抗体２を保護するための部材である。絶縁基体１は、長さ方向を有する部材である。絶縁基体１は、例えばセラミック材料等からなる。絶縁基体１は、図１に示すような板状の部材であってもよいし、図３に示すような筒状の部材であってもよい。また、絶縁基体１は、棒状の部材であってもよい。
【００１１】
絶縁基体１の寸法は、例えば絶縁基体１が板状の場合は、主面の形状が長方形であると
きに、長辺の長さを５〜２０ｍｍに、短辺の長さを１〜１０ｍｍに、厚さを０．０８〜１ｍｍにすることができる。また、絶縁基体１は、端部に被加熱物を挿入しやすいように、先端が尖っていてもよい。また、絶縁基体１は、先端または全体が反ってもよい。
【００１２】
また、絶縁基体１が筒状である場合は、長手方向の長さを５〜２０ｍｍに、内径を８〜２０ｍｍに、外径を８．５〜２２ｍｍにすることができる。
【００１３】
発熱抵抗体２は、被加熱物を加熱するための部材である。発熱抵抗体２は、例えば絶縁基体１の表面または内部に設けられている。発熱抵抗体２は、例えば線状または帯状の部材である。発熱抵抗体２は、例えば折返し部を有している。発熱抵抗体２は、外部電源に電気的に接続されている。発熱抵抗体２は、電流が流れることによって発熱し、被加熱物を加熱することができる。発熱抵抗体２は、絶縁基体１の長手方向に沿って設けられていてもよい。
【００１４】
発熱抵抗体２は、例えばタングステン、モリブデン、クロム、これらの炭化物または金、銀、パラジウム、白金等の金属からなる。また、発熱抵抗体２は、金属以外の成分として、アルミナまたは窒化ケイ素等を有していてもよい。発熱抵抗体２の寸法は、例えば長さが５〜５０ｍｍ、幅が０．２〜２ｍｍ、厚さが０．００５〜０．１ｍｍである。
【００１５】
発熱抵抗体２は、絶縁基体１の先端から後端まで設けられていてもよい。また、図１に示すうに、発熱抵抗体２は、リード部６に接続されていてもよい。このときに、リード部６は、発熱抵抗体２よりも抵抗値を小さくすることができる。これにより、リード部６における発熱を低減することができる。また、発熱抵抗体２は、図２に示すように、絶縁基体１の後端側において、電極パッド５に接続されており、電極パッド５を介して、端子４に接続されていてもよい。
【００１６】
絶縁基体１は、発熱抵抗体２が設けられた発熱領域１１を有している。ここで、発熱領域１１とは、ヒータ１０が実質的に発熱する領域を意味しており、具体的には、例えば絶縁基体１の先端から発熱抵抗体２とリード部６との境界までの領域である。また、例えば、発熱抵抗体２は、絶縁基体１の先端から後端まで設けられていている場合は、絶縁基体１の先端から後端までの領域が発熱領域１１である。
【００１７】
また、図２に示すように絶縁基体１は、発熱領域１１以外の領域であって、電極パッド５またはリード部６を有する、非発熱領域１２を有していてもよい。この場合は、非発熱領域１２は、ヒータ１０が実質的に発熱していない領域を意味している。具体的には、例えば発熱抵抗体２とリード部６との境界から絶縁基体１の後端までの領域である。
【００１８】
保持部材３は、絶縁基体１を保持するための部材である。保持部材３は、発熱領域１１において固定されている。これにより、絶縁基体１の長手方向の長さを低減することができる。その結果、ヒータ１０を小型化することができる。例えば図１〜図４に示す例においては、保持部材３は、Ａに示す部位に固定されている。
【００１９】
保持部材３は、例えば絶縁基体１の長手方向を囲むように設けられていてもよい。保持部材３は、例えばセラミック材料等からなる。保持部材３は、例えば接着剤等によって絶縁基体１に固定されていてもよい。
【００２０】
本開示のヒータ１０においては、図１に示すように、発熱抵抗体２は、折返し部を有しており、保持部材３は、発熱領域１１のうち折返し部の直上に固定されていてもよい。また、絶縁基体１は、発熱領域１１と非発熱領域１２とを有しており、保持部材３は、発熱領域１１に設けられていてもよい。また、保持部材３は、発熱領域１１のうち折返し部の
直上に固定されていてもよい。
【００２１】
また、図４に示すように、ヒータ１０は、筒状であってもよい。これにより、筒の内側に被加熱物を挿入することによって、被加熱物を加熱することができる。なお、図４は斜視図であるが、理解しやすさを優先して、保持部材３を省略して示している。また、図４は斜視図であるが、理解しやすさを優先して、発熱抵抗体２を透過して示している。
【００２２】
また、本開示の加熱式タバコ用装置は、ヒータ１０を加熱手段として備えている。これにより、加熱式タバコ用装置を小型化することができる。
【符号の説明】
【００２３】
１：絶縁基体
１１：発熱領域
１２：非発熱領域
２：発熱抵抗体
３：保持部材
４：端子
５：電極パッド
６：リード部
１０：ヒータ
【図１】
2019164956.tif 000003
【図２】
2019164956.tif 000004
【図３】
2019164956.tif 000005
【図４】
2019164956.tif 000006